(57)【要約】      （修正有）【課題】ボールを捕球する球技用グローブで、使用者は薬指の力をグローブに伝えグローブの操作性を高め、さらに正面からずれた位置で捕球を促し、けがを未然に防止できる。【解決手段】グローブの外皮の中に装着される内皮１１の手のひらが触れる面１２ａで、薬指挿入袋１７の開口２０付近に、柔軟材料からなる保持帯材４０の一端４１ａを立設固定する。保持帯材４０の他端４１ｂはグローブの外皮から突出させる。保持帯材４０の一端４１ａは薬指挿入袋１７の開口の中指挿入袋１６側の縁付近に位置し、薬指挿入袋１７の開口の小指挿入袋１６側の縁付近に、保持帯材４０を通過させる帯材調整隙間（押さえ片）４５を形成し、保持帯材４０の一端４１ａと帯状調整隙間４５の間を薬指保持部４３とする。使用者は、薬指を薬指保持部４３を通過させ、通過させて薬指挿入袋１７に挿入すれば、薬指を内皮１１の手のひらが触れる面１２ａに密着できる。【選択図】図２
0003204839.tif 000002
【実用新案登録請求の範囲】
【請求項１】
使用者の手を挿入する手挿入部を有し、内部に使用者の薬指を挿入する薬指挿入袋をはじめ各指挿入袋を内装したボール捕球用のグローブにおいて、以下のように構成したことを特徴とする球技用のグローブ。
(1) 前記グローブの手のひらが触れる面であって、薬指挿入袋の開口部付近に、薬指保持具を取り付けた。
(2) 前記薬指保持具は、以下のように構成した。
(a) 前記手のひらが触れる面に、柔軟材料からなる保持帯材の一端を立設固定し、
(b) 前記手のひらが触れる面に、帯材調整隙間を形成し、前記保持帯材の中間部を前記帯材調整隙間を通過させ、かつ
前記保持帯材の他端を、前記グローブの貫通孔から前記グローブの外面側に露出させた。
(c) 前記帯材調節隙間は、前記保持帯材の長さ方向の移動を許容し、かつ、前記保持帯材が前記手のひらが触れる面から離れる方向への移動を規制するように、形成された。
(d) 前記保持帯材は、前記一端と帯材調節隙間との間を薬指当接部として、前記保持帯材の薬指当接部と前記手のひらが触れる面との間で、使用者の薬指を保持可能に形成された。
【請求項２】
以下のように構成したことを特徴とする請求項１記載の球技用のグローブ。
(1) 前記手のひらが触れる面に、柔軟材料からなる保持帯材の一端を略直角に突設固定した
(2) 保持帯材の一端を、薬指挿入袋の中指挿入袋側の縁付近に位置させ、
帯材調整隙間を、前記薬指挿入袋の小指挿入袋側の縁付近に位置させた。
【請求項３】
以下のように構成したことを特徴とする請求項１記載の球技用のグローブ。
(1) 保持帯材の薬指当接部に、補強当て材を設けた。
【考案の詳細な説明】
【技術分野】
【０００１】
本考案は、野球などの球技で、ボールを捕球する際に使用する球技用のグローブに関する。
【背景技術】
【０００２】
野球用のグローブでは、一般に、使用者の手のひらより十分に大きな形状で、かつ厚い材料（結果として柔軟性が弱い材料）で形成され、それにより使用者の捕球動作を補助していた。また、使用者の手のひらの大きさや形は様々有り、量産品では、数サイズが設定される場合もあるが、ある程度汎用性を実現するために大きめに設計せざるを得なかった。  
したがって、使用者の指の動きをグローブの動きに反映しにくかった。とりわけ、薬指について、使用者の動作を反映できなかった。  
そこで、半円状に曲げた帯状体を設ける提案（特許文献１）がなされていた。
【先行技術文献】
【特許文献】
【０００３】
【特許文献１】実開平７−３７２５３号公報
【考案の概要】
【考案が解決しようとする課題】
【０００４】
前記従来の半円状に曲げた帯状体を使用する提案では、半円状の凸を中指側に向けて薬指を保持して、帯状体を小指側に引っ張る構造であり、薬指は、グローブの手のひらが当たる面から離れて保持されるので、グローブの手のひらが当たる面と薬指との一体性が確保できなかった。
【課題を解決するための手段】
【０００５】
本考案では、グローブの手のひらが触れる面で、薬指挿入袋の開口部付近に、帯材調節隙間を通した保持帯材からなる薬指保持具を取り付けし、保持帯材の一端を手のひらが触れる面と略直角に固定したので、前記問題点を解決した。
【０００６】
すなわち、この考案は、使用者の手を挿入する手挿入部を有し、内部に使用者の薬指を挿入する薬指挿入袋をはじめ各指挿入袋を内装したボール捕球用のグローブにおいて、以下のように構成したことを特徴とする球技用のグローブである。  
(1) 前記グローブの手のひらが触れる面であって、薬指挿入袋の開口部付近に、薬指保持具を取り付けた。  
(2) 前記薬指保持具は、以下のように構成した。  
(a) 前記手のひらが触れる面に、柔軟材料からなる保持帯材の一端を立設固定し、
(b) 前記手のひらが触れる面に、帯材調整隙間を形成し、前記保持帯材の中間部を前記帯材調整隙間を通過させ、かつ
前記保持帯材の他端を、前記グローブの貫通孔から前記グローブの外面側に露出させた。  
(c) 前記帯材調節隙間は、前記保持帯材の長さ方向の移動を許容し、かつ、前記保持帯材が前記手のひらが触れる面から離れる方向への移動を規制するように、形成された。  
(d) 前記保持帯材は、前記一端と帯材調節隙間との間を薬指当接部として、前記保持帯材の薬指当接部と前記手のひらが触れる面との間で、使用者の薬指を保持可能に形成された。
【０００７】
また、前記において、以下のように構成したことを特徴とする球技用のグローブである。  
(1) 前記手のひらが触れる面に、柔軟材料からなる保持帯材の一端を略直角に突設固定した。  
(2) 保持帯材の一端を、薬指挿入袋の中指挿入袋側の縁付近に位置させ、
帯材調整隙間を、前記薬指挿入袋の小指挿入袋側の縁付近に位置させた。
【０００８】
また、前記において、以下のように構成したことを特徴とする球技用のグローブである。  
(1) 保持帯材の薬指当接部に、補強当て材を設けた。
【０００９】
また、前記における内皮の「手のひらが触れる面」とは、内皮で、手のひらおよび指の腹が当接する部分（面）を指す。
【考案の効果】
【００１０】
グローブの開閉など操作性を高めたので、使用者の動作意志をグローブに反映できる。したがって、とりわけ少年野球でのいわゆる逆ハンドルでの捕球を操作し易くし、補給位置を補給者の正面以外でも容易に捕球できるので、イレギュラーバウンドによる捕球者のけがを未然に防止できる。
【図面の簡単な説明】
【００１１】
【図１】図１は、この発明のグローブの斜視図で、（ａ）は捕球面側（手のひら側）側、（ｂ）は手の甲側を表す。
【図２】図２は、この発明のグローブに使用する内皮の斜視図で、（ａ）は覆い片を閉じた通常の状態、（ｂ）は覆い片を広げて薬指挿入袋の開口を露出させて状態、をそれぞれ表す。
【図３】図３（ａ）はこの発明の指保持具の縦断面図で、（ｂ）は（ａ）のＡ−Ａ拡大端面図を表す。
【図４】図３は、この発明の指保持具の使用状態を説明する模式図で、（ａ）は太い薬指の場合、（ｂ）は細い薬指の場合を表す。
【考案を実施するための形態】
【００１２】
図面に基づいて、この考案の実施の形態を説明する。この実施の形態では、野球用のグローブについて説明する。
【００１３】
１．グローブ５０の構成
【００１４】
（１）  グローブ５０は、厚い皮からなる外皮１に親指挿入袋４、人差し指挿入袋５、中指挿入袋６、薬指挿入袋７、小指挿入袋８が形成され、ボールを捕球する側の面を手のひら面２ａ、反対側を手の甲面２ｂとする。また、グローブ５０は、外皮１内に、直接に使用者の手が触れる内皮１１を有し、内皮１１にも親指挿入袋１４、人差し指挿入袋１５、中指挿入袋１６、薬指挿入袋１７、小指挿入袋１８が形成され、内皮１１の各指挿入袋１４〜１８が、対応する外皮１の各指挿入袋４〜８内に挿入されるように組み立てられる（図１（ａ）（ｂ））。
【００１５】
（２）  内皮１１は、使用者の手のひらが触れる面１２に連続して、各指挿入袋１４〜１８が連設され、各指挿入袋１４〜１８の開口が手のひら面に臨んでいる。また、各指挿入袋１４〜１８には、手の甲側に、親指挿入袋１４の開口を覆うように、連続して親指大覆い片２４、人差し指挿入袋１５の開口に連続して人差し指覆い片２５、中指挿入袋１６の開口に連続して中指覆い片２６、薬指１７の開口２０に連続して薬指覆い片２７、小指挿入袋１８の開口２１に連続して小指大覆い片２８をそれぞれ設けてある（図２（ａ）（ｂ））。
【００１６】
（３）  内皮１１で、手のひらが触れる面１２ａで、薬指挿入袋１７の開口２０付近に、柔軟な革製の保持帯材４０の一端４１を固定する。また、内皮１１には、手のひらが触れる面１２ａから内面１２ｂ（手のひらが触れる面１２ａの裏面＝外皮１側の面）側に貫通するスリット状の第１取付孔３１が形成されている。保持帯材４０は、その一端４１ａに、保持帯材４０の長さ方向に直交する固定板片４２が一体に設けられており、固定板片４２が内皮１１の内面１２ｂ側に位置し、保持帯材４０が第１取付孔３１を貫通して、内皮１１の手のひらが触れる面１２ａ側に位置する。したがって、保持帯材４０は内皮１１の手のひらが触れる面１２ａに直交するように、手のひらが触れる面１２ａに突設固定される。なお、保持帯材４０は直角に近い角度で立設することが望ましいが、保持帯材４０は内皮１１の手のひらが触れる面１２ａに、ある程度の角度（例えば、６０°）をもって固定されていれば、厳密に直交する必要は無い。
【００１７】
（４）  内皮１１の薬指挿入袋１７の開口２０付近で、第１取付孔３１より小指挿入袋１８側に、第１取付孔３１と同様に、手のひらが触れる面１２ａから内面１２ｂに貫通する第２取付孔３２を形成する。第２取付孔３２は、保持帯材４０の長さ方向の縁に沿った位置に形成されている（図２（ｂ））。  
内皮１１の手のひらが触れる面１２ａで、薬指挿入袋１７の開口２０付近で、第１取付孔３１より小指挿入袋１８側に、保持帯材４０の中間部を直角に跨ぐように、帯状の押さえ片４５を固定する。押さえ片４５は、中間部４５ａが、内皮１１の手のひらが触れる面１２ａ側に位置して、保持帯材４０の中間部を跨いでいる。また、一端部４５ｂは第２取付孔３２を通過して、内皮の内面１２ｂ側に位置し、内皮１１の内面１２ｂに固定されている（図３（ｂ））。また、押さえ片４５の他端部４５ｃは、内皮１１の手のひらが触れる面１２ａ上に固定される。また、押さえ片４５は、内皮１１の手のひらが触れる面１２ａと中間部４５ａとの間に、保持帯材４０を挿通することができ、かつ保持帯材４０と押さえ片４５、内皮１１の手のひらが触れる面１２ａとの間に摩擦を生じるように、押さえ片４５が“多少きつく”取り付けてある。ここで、押さえ片４５の中間部４５ａと内皮１１の手のひらが触れる面１２ａとの間が「帯材調整隙間」を構成する。
【００１８】
（５）  したがって、このような押さえ片４５（帯材調整隙間）により、保持帯材４０が手のひらが触れる面１２ａから離れる方向への移動を規制して、かつ、手のひらが触れる面１２ａ上で保持帯材４０の長さ方向に直交する方向への移動も規制し、かつ、保持帯材４０の長さ方向の移動は許容される。  
また、保持帯材４０で、一端４１ａから押さえ片４５までの部分を、薬指保持部４３とする。薬指保持部４３で、保持帯材４０の両面に同じ材料からなる柔軟な皮材を重ねて補強当て材４６、４６を設ける（図３（ａ）鎖線図示４６）。補強当て材４６により、薬指保持部４３は、適度の硬さ（柔らかさ）で、上に凸の半円状の形状を保つことができる。  
また、内皮１１の内面１２ｂ側で、保持帯材４０の固定板片４２および押さえ片４５の一端部４５ｂを内面１２ｂに、より確実の固定するために、固定板片４２および押さえ片４５の一端部４５ｂを覆うことができる裏補強片４７を固定する（図３（ａ）（ｂ））。
【００１９】
（６）  人差し指挿入袋１５の根元（開口付近）から小指挿入袋１８の根元（開口付近）に向かう方向を「横方向」とする。第１取付孔３１、すなわち保持帯材４０の一端４１は、「横方向」で、薬指挿入袋１７の中指側の縁１７ａ付近に位置する。また、第２取付孔３２すなわち、押さえ片４５は、「横方向」で、薬指挿入袋１７の小指側の縁１７ｂ付近に位置する。  
したがって、保持帯材４０の薬指保持部４３（上に凸の半円状の形状）が、「横方向」で、「薬指挿入袋１７の中指側の縁１７ａ付近」から「薬指挿入袋１７の小指側の縁１７ｂ付近」の間に位置することになる（図３、図４）。
【００２０】
（７）  また、保持部材４０の一端４１ａは内皮１１にあるので、外皮１の内面側に位置していることになるが、保持帯材４０の他端４１ｂは、外皮１に設けた貫通孔９から外皮１の外側に突出させてある。保持部材４０の他端４１ａ側（外皮１の外側に突出している部分）で結び目４４を作り、貫通孔９の外則側に係止させれば、保持部材４０で、薬指保持部４３の長さ（一端４１ａから固定板片４２までの長さ）を調整できる（図４）。
【００２１】
２．グローブ５０の使用
【００２２】
（１）  使用者は通常のグローブと同様に、左手（実施態様の場合）を差し込む。この際、人差し指５７を保持帯材４０の薬指保持部４３を挿通させた後に、薬指挿入袋１７（７）に挿入する（図３）。その後、保持帯材４０に薬指保持部４３が薬指５７を適度に押圧して、内皮１１の手のひらが触れる面１２ａに押さえるように保持される。この際、保持帯材４０の長さを調整して、薬指保持部４３を大きく形成し（太い薬指用）（図４（ａ））、また、薬指保持部４３を小さく形成し（細い薬指用）（図４（ｂ））、貫通孔９付近に結び目４４を形成すれば、薬指保持部４３の所定の大きさを保持できる（図４）。なお、ここで、貫通孔９（外皮１）と保持帯材４０との間に生じる摩擦を大きく設定すれば（相対的に貫通孔９を小さく、あるいは保持帯材４０の表面を該部で粗くするなど）、結び目４４を使用しなくとも、保持帯材４０の位置を保持できる。
【００２３】
（２）  また、次回以降は、結び目４４を解くことなく、そのまま使用できる。使用者は、一旦、薬指５７の先（細い）を保持帯材４０の薬指保持部４３に通した後に、そのまま薬指挿入袋１７に入れるので、薬指保持部４３を探すことなく、グローブをスムースに装着することができる。
【００２４】
（３）  このグローブ５０では、薬指５７を保持帯材４０の薬指保持部４３に通せば、薬指５７を内皮１１の手のひらが触れる面１２ａに押さえつけることができる。したがって、薬指５７をグローブ５０の操作に活用できるので、グローブの操作性を高めることができる。
【００２５】
２．他の実施形態
【００２６】
（１）  前記実施態様において、小指挿入袋１８の開口２１付近にも、この考案の保持帯材４０及び押さえ片４５を設けることもできる（図示していない）。また、小指挿入袋１８の開口２１付近に従来の保持帯材４０のみしかない（押さえ片４５の無い）保持帯材４０を設けることもできる（図示していない）。
【００２７】
（２）  また、前記実施態様において、押さえ片４５の両端部４５ｂ、４５ｂを内皮１１に固定して、帯材調整部を形成したが、保持帯材４０をある程度きつく通して、保持帯材４０を内皮１１の手のひらが触れる面１２ａに押さえつけることできれば、他の構造とすることもできる（図示していない）。  
例えば、内皮１１の薬指挿入袋１７の小指側の縁１７ｂ付近で、内皮１１に横方向の孔を２つ設けて、一旦、保持帯材４０を内皮１１の内面１２ｂ側に位置させ、再び手のひらが触れる面１２ａに位置させる構造とすることもできる（図示していない）。したがって、この場合には、別部材の押さえ片４５を不要とすることができる。
【００２８】
（３）  また、前記実施態様において、内皮１１に第１取付孔３１および第２取付孔３２を開けて、内皮１１の内面１２ｂ側に保持帯材４０の固定片４２、押さえ片４５の一端部４５ｂを固定したが、固定の構造は任意である（図示していない）。  
例えば、第２取付孔３２に平行に第３取付孔を設けて、押さえ片４５の他端部４５ｃも、第３取付孔を通過させて、内皮１１の内面１２ｂ側に固定することもできる（図示していない）。  
また、例えば、第１取付孔３１および第２取付孔３２を設けず、内皮１１の手のひらが触れる面１２ａに、直接に固定片４２、押さえ片４５の両端部４５ｂ、４５ｃを固定することができる（図示していない）。したがって、この場合には、通常の完成品のグローブに、後付で、保持帯材４０、押さえ片４５を取り付けて、この考案のグローブ５０を構成することができる。  
また、例えば、固定片４２を使用せずに、保持帯材４０の一端４１ａ付近を、直接に内皮１１の手のひらが触れる面に固定することもできる（図示していない）。
【符号の説明】
【００２９】
１    外皮
２    外皮の手のひら側
２ａ  外皮の手の甲側
４    外皮の親指挿入袋
５    外皮の人差し指挿入袋
６    外皮の中指挿入袋
７    外皮の薬指挿入袋
８    外皮の小指挿入袋
９    外皮の貫通孔
１１    内皮
１２ａ  内皮の手のひらが触れる面
１２ｂ  内皮の内面
１４    内皮の親指挿入袋
１５    内皮の人差し指挿入袋
１６    内皮の中指挿入袋
１７    内皮の薬指挿入袋
１７ａ  薬指挿入袋の人差し指側縁
１７ｂ  薬指挿入袋の小指側縁
１８    内皮の小指挿入袋
２０    薬指挿入袋の開口
３１    内皮の第１取付孔
３２    内皮の第２取付孔
４０    保持帯材
４１ａ  保持帯材の一端
４１ｂ  保持帯材の他端
４２    保持帯材の固定板片
４３    薬指保持部
４４    保持帯材の他端側の結び目
４５    押さえ片
４５ａ  押さえ片の中間部
４５ｂ、４５ｃ  押さえ片の端部
４６    薬指保持部の補強当て材
４７    裏補強片
５０    グローブ
５７    使用者の薬指
【図１】
0003204839.tif 000003
【図２】
0003204839.tif 000004
【図３】
0003204839.tif 000005
【図４】
0003204839.tif 000006